(57)【要約】【課題】  偽造、改ざん、不正使用等の不正行為に対して、高いレベルの防御がなされるとともに、種々の態様の使用において、利便性が失われない高い利便性を持ったＩＣカードを提供する。【解決手段】  顔画像、個人情報が記録された二次元画像及び生体情報を記録したＩＣをカードに設ける。【選択図】        図１
2005141626.tif 000002
【特許請求の範囲】
【請求項１】
少なくとも一面にカード所有者の顔画像及び個人情報が記録された二次元コードが形成されるとともに、少なくともカード所有者の生体情報が記録されたＩＣを有することを特徴とするＩＣカード。
【請求項２】
前記二次元コードには、前記生体情報以外の個人情報が記録されていることを特徴とする請求項１に記載のＩＣカード。
【請求項３】
前記二次元コードは暗号化されていることを特徴とする請求項２に記載のＩＣカード。
【請求項４】
少なくとも一面に、複写による偽造を防止した画像が形成されたことを特徴とする請求項１〜３のいずれか１項に記載のＩＣカード。
【請求項５】
少なくとも前記顔画像が４００ｄｐｉ（２５．４ｍｍあたりのドット数）以上の解像度で記録されていることを特徴とする請求項１〜４のいずれか１項に記載のＩＣカード。
【請求項６】
少なくとも一面にリライト画像が形成されていることを特徴とする請求項１〜５のいずれか１項に記載のＩＣカード。
【請求項７】
ＩＣチップ及びアンテナを有する非接触型であることを特徴とする請求項１〜６のいずれか１項に記載のＩＣカード。
【請求項８】
生体情報を採取して照合用生体情報を生成する照合用生体情報生成手段、
ＩＣカードに付されている二次元コードから個人情報を読み取る二次元コード読取手段、
登録生体情報が蓄積されている生体情報データベース、
前記二次元コード読取手段が読み取った個人情報に基づいて、前記生体情報データベースから登録生体情報を検索する検索手段及び、
前記照合用生体情報と、検索された前記登録生体情報とを照合する照合手段、
を有することを特徴とするＩＣカード認証システム。
【請求項９】
カードに内蔵されているＩＣに記録されている生体情報を読み取って照合用生体情報を生成する生体情報読取手段、
ＩＣカードに付されている二次元コードから個人情報を読み取る二次元コード読取手段、
登録生体情報が蓄積されている生体情報データベース、
該二次元コード読取手段が読み取った前記個人情報に基づいて、前記生体情報データベースから登録生体情報を検索する検索手段及び、
前記照合用生体情報と、検索された前記登録生体情報とを照合する照合手段、
を有することを特徴とするＩＣカード認証システム。
【請求項１０】
前記照合用生体情報生成手段は、生体情報を採取する生体情報採取手段、カードに内蔵されているＩＣに記録されている生体情報を読み取ってプレ照合用生体情報を生成する生体情報読取手段及び前記生体情報採取手段が採取した前記生体情報と、前記プレ照合用生体情報とを照合して前記照合用生体情報を生成するプレ照合手段を有することを特徴とする請求項８に記載のＩＣカード認証システム。
【発明の詳細な説明】
【技術分野】
【０００１】
本発明は、ＩＣカードの偽造や不正使用を防止する技術に関する。
【背景技術】
【０００２】
各種の資格を証明する資格証明証、学生証、従業員証等は、カードの券面にカード所有者の顔画像、氏名、住所、登録番号、発行日時等の画像が形成されたものである。
【０００３】
ところで、カードの使用により受けることができる利益はきわめて大きいのに対して、カードは簡便に使用できることから、カードの不正使用やカードの偽造等の不正行為の発生は当然に予想されるところであり、不正行為に対する防御技術の開発に多大なエネルギーが費やされ、様々な防御技術が提案されている。
【０００４】
防御技術の一つは、カードに内蔵されているＩＣにカード所有者の個人情報を記録するものである。これによれば、ＩＣから情報を読み取ることにより、カードの真偽が判別されるので、改ざん等の不正行為を防止することができる。しかしながら、盗難等によるカードの不正使用に対する防御手段としては不十分である。
【０００５】
不正使用に対する防御技術として、生体情報を用いたカード認証技術が開発されている。生体情報は、指紋、声紋、顔画像、筆跡、虹彩等を電子データ化したものであり、カード使用者から直接採取した生体情報と登録されている生体情報を照合することにより、不正使用を防止するものである。
【０００６】
特許文献１には、生体情報及びパスワードをカードのＩＣに記録し、採取した生体情報及び使用する情報機器に収納されているパスワードをＩＣに記憶されている生体情報とパスワードを照合する認証システムが開示されている。
【０００７】
特許文献２、３には、生体情報を記憶する生体情報記憶部と生体情報を照合する照合処理部を持ったＩＣを内蔵したＩＣカードが開示されている。
【０００８】
特許文献４には、生体情報を記憶したＩＣカードが開示されている。
【０００９】
特許文献５には、暗号鍵及び識別コードをカードのＩＣに記録し、暗号鍵を用いて、サーバから生体情報を暗号化した暗号化データを読み出し、復号して照合を行う認証システムが開示されている。
【００１０】
特許文献６には、生体情報を記録した磁気カードが開示されている。
【００１１】
特許文献７には、指紋の情報をカードに内蔵されているＩＣに記録し、ＩＣから読み出した情報に基づいて、指紋をカードの表示部に表示するカードが開示されている。
【００１２】
また、個人情報を簡単に解読することを困難にする方法として、個人情報を二次元コードでカードに記録する技術が開発されている。
【００１３】
特許文献８には、個人情報を二次元コードの透かしとして記録したカードが開示されている。
【００１４】
特許文献９には、二次元コードを用いて情報を記録したカードが開示されている。
【特許文献１】特開２０００−２１５１７２号公報
【特許文献２】特開２０００−２１５２９４号公報
【特許文献３】特開２００１−３４４２１３号公報
【特許文献４】特開２０００−２６８１７５号公報
【特許文献５】特開２００２−２６９０５１号公報
【特許文献６】特開２００３−６７３４５号公報
【特許文献７】特開２００３−２０８５９２号公報
【特許文献８】特開２００１−２８３１６７号公報
【特許文献９】特開平８−８７５７８号公報
【発明の開示】
【発明が解決しようとする課題】
【００１５】
従来技術によれば、生体情報や二次元コードを用いることにより、偽造、改ざん、不正使用等の不正行為に対する防御は高レベルとなっており、また情報の漏洩に対する防御レベルも向上している。
【００１６】
しかしながら、高性能の防御システムを用いると、認証プロセスが複雑になって、認証に長時間を要するという問題や、非認証とされるケースが多発して実用性が低下する等の問題が生ずる。すなわち、利便性が低下する。
【００１７】
例えば、採取した指紋を登録された指紋と照合するプロセスでは、登録指紋の膨大なデータベースから、合致する指紋情報を検索するためのデータ処理に長時間を要し、結果として、カードの認証に長時間を要することになる。
【００１８】
一方、ＩＤカードが使用される実際の状況を考えた場合、高レベルの認証手続きが必要な場合が百パーセントではなく、単に、顔写真で真偽を確認するといったような低レベルの認証で十分な場合も少なくない。そして、中間レベルの認証を考えた場合、ＩＤカードの認証は、多種多様な方法で行われる。従って、前記特許文献１〜９のような技術をＩＤカードに適用した場合には、不必要に高レベルの認証手続きが常に実行されることになり、利便性が大きく低下する。
【００１９】
本発明は、このような問題に鑑みて発想されたものであり、偽造や改ざんに対する高い防御性能や情報の漏洩に対する高い防御性能を有するとともに、高い利便性を持ったＩＣカードを提供するとともに、偽造や改ざんに対する高い防御性能及び情報の漏洩に対する高い防御性能を有するＩＣカードの認証システムを提供することを目的とする。
【課題を解決するための手段】
【００２０】
前記目的は、下記の発明により達成される。
１．
少なくとも一面にカード所有者の顔画像及び個人情報が記録された二次元コードが形成されるとともに、少なくともカード所有者の生体情報が記録されたＩＣを有することを特徴とするＩＣカード。
２．
前記二次元コードには、前記生体情報以外の個人情報が記録されていることを特徴とする前記１に記載のＩＣカード。
３．
前記二次元コードは暗号化されていることを特徴とする前記２に記載のＩＣカード。
４．
少なくとも一面に、複写による偽造を防止した画像が形成されたことを特徴とする前記１〜３のいずれか１項に記載のＩＣカード。
５．
少なくとも前記顔画像が４００ｄｐｉ（２５．４ｍｍあたりのドット数）以上の解像度で記録されていることを特徴とする前記１〜４のいずれか１項に記載のＩＣカード。
６．
少なくとも一面にリライト画像が形成されていることを特徴とする前記１〜５のいずれか１項に記載のＩＣカード。
７．
ＩＣチップ及びアンテナを有する非接触型であることを特徴とする前記１〜６のいずれか１項に記載のＩＣカード。
８．
生体情報を採取して照合用生体情報を生成する照合用生体情報生成手段、
ＩＣカードに付されている二次元コードから個人情報を読み取る二次元コード読取手段、
登録生体情報が蓄積されている生体情報データベース、
前記二次元コード読取手段が読み取った個人情報に基づいて、前記生体情報データベースから登録生体情報を検索する検索手段及び、
前記照合用生体情報と、検索された前記登録生体情報とを照合する照合手段、
を有することを特徴とするＩＣカード認証システム。
９．
カードに内蔵されているＩＣに記録されている生体情報を読み取って照合用生体情報を生成する生体情報読取手段、
ＩＣカードに付されている二次元コードから個人情報を読み取る二次元コード読取手段、
登録生体情報が蓄積されている生体情報データベース、
該二次元コード読取手段が読み取った前記個人情報に基づいて、前記生体情報データベースから登録生体情報を検索する検索手段及び、
前記照合用生体情報と、検索された前記登録生体情報とを照合する照合手段、
を有することを特徴とするＩＣカード認証システム。
１０．
前記照合用生体情報生成手段は、生体情報を採取する生体情報採取手段、カードに内蔵されているＩＣに記録されている生体情報を読み取ってプレ照合用生体情報を生成する生体情報読取手段及び前記生体情報採取手段が採取した前記生体情報と、前記プレ照合用生体情報とを照合して前記照合用生体情報を生成するプレ照合手段を有することを特徴とする前記８に記載のＩＣカード認証システム。
【発明の効果】
【００２１】
請求項１〜７のいずれかの発明により、偽造、改ざん等の不正行為に対して高いレベルの防御手段が施されるとともに、カードの認証手続きが短時間で済む、簡便に出来る等の利便性に優れたＩＣカードが実現される。
【００２２】
請求項２又は請求項３の発明により、簡単には解読できない二次元コードに個人情報が記録されているので、個人情報の漏洩が防止される。しかも、二次元コードが生体情報を含まないので、二次元コードに記録できる個人情報の内容を豊富にすることが可能となる。特に、請求項３の発明では、二次元コードを暗号化しているので、個人情報の漏洩に対する厳重な防御ができる。
【００２３】
請求項４又は請求項５の発明により、複写による偽造に対する防御ができる。
【００２４】
請求項６の発明により、カードの変更を要する場合でも、カードを新規に発行することなく、記録画像の変更で対応することが可能となるので、カード更新のために、カードを使用できない期間が出来る等の不都合がなくなり、利便性の高いＩＣカードが実現される。
【００２５】
請求項８又は請求項１０の発明により、カード所有者から生体情報を読み取り、登録された生体情報と照合して、ＩＣカードを認証する工程における登録生体情報の検索が、ＩＣカードに形成された二次元コードに記録されている個人情報を用いて行われるので、検索時間が短縮されるとともに、合致する生体情報なしとするような誤検索の発生確率が低下し、迅速で、信頼性の高い認証が行われる。
【００２６】
また、二次元コードを用いた登録生体情報の検索であるので、登録生体情報の漏洩が防止される。
【００２７】
請求項９の発明により、ＩＣに記録されている生体情報と登録生体情報の照合による認証を行うので、ＩＣカードに形成されている画像を貼り替える等の改ざんが確実に検出され、改ざん等の不正行為を確実に防止することができる。また、登録生体情報の検索は、カードの二次元コードに記録された個人情報に基づいて行われるので、検索が短時間で行われ、認証に要する時間が短縮される。
【００２８】
請求項１０の発明により、照合済みの生体情報と登録生体情報との照合による認証を行うので、認証の信頼性が更に向上する。
【発明を実施するための最良の形態】
【００２９】
以下図示の実施の形態により本発明を説明するが、本発明はかかる実施の形態に限られない。
【００３０】
図１は本発明の実施の形態に係るＩＣカードの第１例である従業員証の図である。
【００３１】
ＩＣカードＣＤには、顔画像１、従業者ＩＤ２、カードの名称３、カード所有者の所属４、カード所有者の氏名５、二次元コード６、会社名７等の画像が形成される。図１の例は従業者証であるが、免許証等の資格証明証、会員証等ＩＣカードの種類により、券面にはそれぞれにおいて所定の画像が記録される。点線で示す８ａは、カード内に内蔵されているＩＣであり、半導体メモリ及びＣＰＵ又は半導体メモリで構成される。８ｂは電源用及び通信用のアンテナである。ＩＣカード１としては非接触型のものが望ましいがアンテナ８ｂを持たない接触型のカードであってもよい。
【００３２】
二次元コード６には、個人情報が記録される。記録される情報としては、カード所有者の氏名、社員番号、生年月日、パスワード、有効期限等があり、その他、カードの種類に特有な情報が二次元コード６に記録される。二次元コードは、数字では７０００文字、英数字で４０００文字程度をコード化できる記録方式であり、きわめ大きな記録容量を有する。従って、前記の情報の他に、必要に応じた情報を二次元コードに記録することができる。
【００３３】
ＩＣ８ａにも前記のような個人情報が記録されるが、ＩＣ８ａは情報の書き換えができるので、可変情報、すなわち、カード所有者の履歴、金銭の収支等が記録される。
【００３４】
履歴には、免許証では、事故の履歴等があり、会員証では、サービスの利用履歴があり、従業員証では、職務履歴等がある。
【００３５】
ＩＣ８ａには、さらに、カード所有者の生体情報が記録される。生体情報としては、指紋、声紋、顔画像、筆跡、虹彩等がある。これらの生体情報はカード作製時に、カード所有者から採取されデータ化されてＩＣに記録される。
【００３６】
生体情報のデータ入力方法には、採取した情報そのもの（例えば、採取した指紋情報そのものを入力する方法）と、特徴点を抽出し、特徴点の情報を記録する方法があり、特開平１１−３３９０４９号公報、特開２０００−２２２５４１号公報、特開２００１−２６６１５５号公報等に記載された方法を用いることができる。
【００３７】
なお、生体情報はＩＣ８ａにのみ記録され、二次元コード６には生体情報以外の個人情報が記録される。生体情報は多くの場合大きな記録容量を必要とするが、前記のように二次元コード６に記録する個人情報を生体情報以外の個人情報とすることにより、二次元コード６に記録することが出来る個人情報の質と量とを豊富にすることができる。
【００３８】
本発明に係るＩＣカードに記録される画像、すなわち、図１の１〜７で示す画像の少なくとも顔画像１及び二次元画像６は４００ｄｐｉ以上の解像度を有することが望ましい。ただし、ｄｐｉは２５．４ｍｍ当たりのドット数である。
【００３９】
画像形成方法としては、印刷及び／又は各種のオンデマンド画像形成方法により形成することができる。図１に示す画像のうち、１〜６の顔画像を含み各カード毎に異なる画像はオンデマンド画像形成法により形成することが望ましい。
【００４０】
オンデマンド画像形成法としては、銀塩写真法、電子写真法、昇華転写法、インクジェット法等がある。
【００４１】
前記した４００ｄｐｉ以上の解像度により、電子写真複写機等の通常のカラー複写機による偽造が防止される。
【００４２】
偽造を防止するために、本発明に係るＩＣカードでは、次に説明するような偽装防止手段を講ずることが望ましい、
次に、本発明に係るＩＣカードに設けられる「コピーによる偽造を防止する偽造防止手段」と、「非可視光線によるカードの偽造判定手段」について説明する。
【００４３】
最初に、ＩＣカードをカラーコピー機で複写した時に、複写物の色調や解像度が元のカードと比較して、目視で識別可能なレベルに異なる仕上りにさせることでカードの偽造防止を達成させる技術について説明する。
【００４４】
カラーコピー機等で複写して作成された複写物の画質や色調が、オリジナルのカードと異なるものにさせる手段としては、例えば、金属光沢を有するメタリックインクを用いて画像形成を行う方法や、マイクロ文字をカード内に付与する方法が挙げられる。
【００４５】
最初に、メタリックインクを用いてＩＣカードを作成する方法について説明する。
【００４６】
メタリックインクを用いて作成された画像をカラーコピー機で複写した時、複写物はメタリックインク特有の金属光沢に起因する色調を正確に再現することができない。そこで、本発明者は、メタリックインクの金属光沢性に着目し、メタリックインクを用いてＩＣカードを作成することを想定した。
【００４７】
従来技術では、商品券に代表される有価証券等にメタリックインクを使用してカラーコピーされた偽物との識別判定を容易にすることが検討されていたが、ＩＤカードの様にユーザが常時携帯するものにメタリックインクで画像形成を行った場合、メタリックインクの耐久性や長期保存安定性が懸念されていた。例えば、ズボンの後ろポケットに携帯してオートバイ通学する学生の学生証の様に曲げやねじれ等の負荷が加わることの多いカードは、メタリックインクで画像形成を行うと負荷の影響で短期間でメタリックインクが画像形成層より剥離し、個人認証ができなくなることが予想されていたので、常時携帯を意図したＩＤカードにメタリックインクを使用することは行われていなかった。
【００４８】
本発明者は、メタリックインクの耐候性の視点からカードへの使用を検討し、例えば、画像形成層上に特殊な表面保護層を形成したり、支持体を改良する等の対応を行うことにより、カードに曲げやねじれ等の機械的な負荷を加えてもメタリックインクが画像形成層から剥離せず、画像が長期にわたり安定して維持されるようにしている。
【００４９】
そして、ＩＣカード作成時にメタリックインクを用いて画像形成を行うことにより、作成されたカードの複写物ではメタリックインク特有の金属光沢性を再現することができないため、コピーによる偽造品の真偽判定を目視で容易に行えることを見出し、本発明に到ったのである。
【００５０】
以下、本発明の実施の形態に係るＩＣカードの第２例である従業員証の図である図２に基づいて、メタリックインクを用いたカード作成について説明する。図２のＣＤはメタリックインクを用いたＩＣカードの一例を示す模式図である。図２（ａ）はメタリックインクで文字画像を作成した正規のＩＣカード（以下本物ともいう）である従業者証で、個人情報である文字画像を通常のインクで作成するとともに、文字画像の一部であるカード下欄の「ＡＢＣ株式会社」を特定パターン７ａとしてメタリックインクで画像作成したものである。
【００５１】
そして、図２（ｂ）はカラーコピー機によってコピーされた複写物ＣＤＦでは、会社の名称を示す画像７ｂの色調が目視でも明らかに異なったものとなったことが確認された。
【００５２】
複写物ＣＤＦと本物のＩＣカードＣＤとを比較すると、顔画像１から二次元コード６までの画像はその形状及び色調において、同様な仕上がりが得られたが、メタリックインクを用いた会社名は、その色調において明らかに異なっていた。
【００５３】
この様に、正規カード（本物）ＣＤは、メタリックインクの画像７ａ（会社名）が金属光沢を有しているが、複写物ＣＤＦでは正規のＩＣカードＣＤでメタリックインクで画像形成を行った個所が、金属光沢を有しておらず、また、色調も正確に再現されなかった。さらに、複写物ＣＤＦではメタリックインクを用いた個所（会社名画像７ａ）が濃度的な平坦さが失われて、複写物特有のムラが顕著に現れていた。
【００５４】
したがって、本物のカードＣＤと複写物ＣＤＦとでは、上記の差異が見られて目視だけでその差異を確認することが可能である。
【００５５】
この様に、本発明ではＩＣカードにメタリックインクを用いて画像形成を行うことにより、ルーペやブラックライト等を使用せずに、目視だけで容易に真偽判定を行うことが可能で、また個人差も殆どなく、さらにカードはこれまでのカード作成技術のレベルで作成可能なので、本発明によるＩＣカードを広範囲に利用することが可能であることが確認された。
【００５６】
なお、本発明でメタリックインクを用いて画像形成を行う個所は、必ずしも上記の様な社名に限定されるものではなく、社章、営業マークや真偽識別を目的として専用に付加したロゴやマーク等の記号に用いてもよく、通常、カード面上で一見して目に付く様な目立つ個所の画像をメタリックインクで作成することが好ましい。
【００５７】
また、使用可能なインクの色は、金、銀の他に銅光沢を有するものや、メタリックインクに任意な色材を分散させて色相を変化させて使用したものが挙げられる。
【００５８】
また、メタリックインクを用いたカード作成方法としては、前述の昇華転写法のプリンタやインクジェットプリンタで画像形成を行う時に、オフセット、グラビア、シルクスクリーン、凹版等の公知の印刷方式でメタリックインクでの画像形成を併用する方法が挙げられる。
【００５９】
そして、本発明に係るＩＣカードに使用されるメタリックインクとしては、厚い画像皮膜が形成可能で、金属粉の密度が大きく、粒度の比較的粗くなる金属光沢を得る印刷方式が好ましく、さらに、カードに曲げやねじれの様な外力が加わってもメタリックインク画像が画像形成層から剥離しない耐久性や、長期にわたり金属光沢を発現する耐候性や耐摩擦性等を満足する画像形成方式を採用することが望ましい。この様な優れた耐久性を有するメタリックインク画像を形成する技術としては、例えば、特開平８−２９０６４６号公報に開示されたメタリックインクを用いた印刷技術が挙げられる。
【００６０】
また、本発明に係るＩＣカードに使用されるメタリックインクは、ビヒクルに金属粉を混和して作製される。例えば、金インクには黄銅の粉末や黄色系に着色したアルミ粉末が用られる。また、黄銅における亜鉛の含有量を調整したり、あるいはアルミ箔の着色を調整することにより、赤口や青口等の色調を変えたものも得られる。また、銀インクにはアルミ粉末が用いられる。
【００６１】
本発明で用いられるメタリックインクは、カードの作成方法に合わせて金属粉の粒度や密度を適宜調整して使用される。
【００６２】
この様に、本発明に係るＩＣカードは、画像形成にメタリックインクを用いてカード作成が行われるので、作成したカードをカラーコピーで複写しても、正規カードが有するメタリックインク特有の金属の質感を再現することができない。そして、本発明では、カード上に作成された画像情報中の特定パターンに金属光沢を付与するだけで、かなりの精度で本物と偽物との識別判定を目視で行うことが可能であることが確認された。
【００６３】
また、本発明では、カードの画像に見る角度により色彩が変化するパールインクと呼ばれる色彩変化インクを用いて画像情報を形成する方法も挙げられる。パールインクは、薄膜状の金属粒子などを顔料として含んでなるもので、この金属粒子により光を多重反射する性質を有する。この反射光は、金属粒子の厚さや粒径により、光の波長、すなわち、色が決まり、この光が互いに干渉し合うことで色彩変化を生じさせるものである。本発明では、ＩＣカードに形成する画像情報にこの様な反射光の干渉による色彩変化させる性質を有するパールインクを用いることにより、作成したカードを複写した場合はパールインクで画像形成を行った領域の画像を正確に再現させず、コピーによるカードの偽造防止を可能にしている。また、正規のカードと複写物とを目視で容易に判別することが可能である。
【００６４】
この様なパールインクを用いて偽造防止や真贋判定に用いる技術は、例えば特開２０００−１０７１号公報に記載される。
【００６５】
さらに、本発明では、例えば、特開平７−４０６９０号公報等に記載される有色網点画像を施したホログラム箔を設けることにより、カードの偽造防止と作成されたカードの真贋判定が可能である。
【００６６】
次に、カード面上にマイクロ文字を用いた方法について説明する。従来より、有価証券等の印刷物の複写による偽造を防止する手段として、マイクロ文字と呼ばれる複写機の複写限界を超えた微小な文字や記号を印刷物上に付与する技術がある。マイクロ文字を有する印刷物を複写機でコピーすると、マイクロ文字が複写機の複写限界を超えているためにマイクロ文字の正確な画像再現ができないことを利用して、正規品と偽物とを識別するものである。
【００６７】
具体的なマイクロ文字の大きさとしては、例えば、カラー複写機の分解能が４００ｄｐｉの場合、この複写機は大きさが２５０μｍのマイクロ文字を正確に複写することが不可能なので、約２５０μｍのマイクロ文字を付与することでカラー複写機による偽造を防止することが可能である。
【００６８】
図３は本発明の実施の形態に係るＩＣカードの第３例である従業員証の図であり、マイクロ文字を設けたＩＣカードの例を示す。
【００６９】
図３（ａ）に示す様にＩＣカードＣＤには、目視では長方形の枠９が形成されているものと認識される。枠９の一部９ａを拡大すると、「ＳＡＫＵＲＡ」という同一の大きさのマイクロ文字９ｂが連続して形成されている。このマイクロ文字９ｂが長方形状に連続作成されることで、目視では枠９として認識される。
【００７０】
この様に、マイクロ文字９ｂは、目視では一見文字として認識できないが、拡大して見ると文字として認識できる程度の大きさの文字であり、また、目視では認識できない程度の小さな大きさの文字で、複写機を用いて複写した場合に正確な文字として複写されない程度の大きさの文字である。
【００７１】
そして、図３（ｂ）は、図３（ａ）に示したＩＣカードＣＤの複写物ＣＤＦの概略外観図で、複写物ＣＤＦにはＩＣカードＣＤと同様に枠９ｄが視認されるが、枠９ｄの一部９ｅを拡大すると、マイクロ文字は正確な文字として複写されずにベタの画像９ｆとして複写されている。そのため、カード上に形成されたマイクロ文字が複写された部分を調べることで、そのカードが複製であるかどうかを識別することが可能である。
【００７２】
この様に、本発明ではＩＣカードであるＩＣカードＣＤの長方形状の枠９を複写機の複写限界を超えた微少サイズのマイクロ文字９ｂで作成することにより、本物のＩＣカードＣＤと偽物のカードＣＤＦとの識別を可能にした。
【００７３】
また、本発明に係るＩＣカードに使用するマイクロ文字９ｂを、例えば、特開平６−１９９０８６号公報に開示される様な太さの異なるマイクロ文字を複数種類使用するものでもよい。
【００７４】
この様に、本発明に係るＩＣカードによれば、カード内に複写機の複写限界を超えたサイズのマイクロ文字を設けることにより、本物と複写されてなる偽物とを容易に識別することが可能である。
【００７５】
本発明に係るＩＣカードでは、可視光では画像として検知されないが、非可視光線で照射することにより、検知される画像を形成することにより、カードの真贋を判定することを可能にしている。
【００７６】
次に、作成された画像情報を非可視光線の存在下に置いた時に、作成カードの真贋を判定する手段を付与して画像形成を行う方法について説明する。この様な方法としては、赤外線透過性インクや赤外線吸収インクを用いて画像形成を行う方法が挙げられる。
【００７７】
赤外線透過性インクを用いて画像情報を作成する方法について説明する。カーボンブラック顔料を用いずに、イエロー、マゼンタ、シアンの３原色インクを混合して作製した黒インク（以下ＹＭＣ黒インクともいう）を用いて画像形成を行う技術がある。
【００７８】
この様なインクで作成された画像は、可視光を殆ど透過しないのでカーボンブラック顔料を使用した通常の黒インクと同様に目視では黒色に見えるが、赤外線に対して透過性を有するので、赤外線センサを用いた画像読取装置ではＹＭＣ黒インクを用いた画像は検知されない特性を有している。
【００７９】
この様な赤外線透過性インクを用いてカード内にバーコードを作成する技術が従来より存在していたが、これらはスキー場のリフト券や図書館の貸出カード、レンタルビデオの会員証等に赤外線透過インクで作成したバーコードに、カードの種別や発行年月日等の可変情報を記録したものであった。
【００８０】
赤外線透過性インクで氏名や所属、従業員ＩＤ番号などの個人情報を作成することは、ユーザが長期にわたりカードを携帯することが多いＩＤカードには耐久性の面で信頼性が得られなかったためにこれまで考えられていなかった。また、前述の赤外線透過性インクは、Ｙ、Ｍ、Ｃの３つのカラー色材を混合して作製されたものであるため、長期間にわたる画像保存性能の視点からも信頼性が得られなかった。
【００８１】
本発明者は、赤外線透過性インクで画像形成を行い、赤外線透過性によるＩＣカードの真贋判定に使用することを検討し、前述の様なカードの層構成を特定する等の対応を行うことで、ＩＣカードの文字画像への使用を可能にし、作成カードの文字画像を赤外線センサを有する画像読取装置で読み取ることにより、カードの真贋を目視で判定することを可能にした。
【００８２】
図４は本発明の実施の形態に係るＩＣカードの第４例である従業員証の図であり、赤外線透過性インクを用いて画像形成を行ったＩＣカードを示す。図４（ａ）は、可視光線下に置かれたＩＣカードであるＩＣカードＣＤである。ＩＣカードＣＤには、文字画像である従業者ＩＤ２、所属４、氏名５及び二次元コード６を赤外線透過性インクで画像形成した。図において鎖線示した領域は、赤外光では検出されない画像を示す。可視光照射では、図４（ａ）のように、全画像が観察されるが、赤外線光照射下では、図４（ｂ）に示すように、赤外線透過性インクで形成された画像２、４、５、６は、画像の存在が観察されない。これに対して、ＩＣカードＣＤを複写機により作成された偽造のＩＣカードＣＤＦでは、赤外線光存在下でカーボンブラックを含有するトナーで作成した文字画像を赤外線センサを用いて観察されるので、画像１〜７の全てが観察され、結果としてカードの真贋を赤外線光存在下で判定することが可能である。
【００８３】
この様に、本発明では、カーボンブラックを含有していない黒色インクを用いて個人情報Ｄ１等の文字画像形成を行い、作成された画像を赤外線光存在下におくことで作成カードの真贋を判定することが可能である。
【００８４】
なお、本発明に使用される具体的な赤外線透過性インクとしては、例えば、特開平５−５２９３０号公報に記載のＹＭＣ墨インキ（ザ・インクテック社製）等が挙げられる。
【００８５】
次に、赤外線吸収インクに代表される不可視のインクを用いて画像形成層に不可視な画像を形成したＩＣカードについて説明する。
【００８６】
本発明では、通常の環境下では確認できない画像情報をカードに付与し、該画像情報は赤外光や紫外光等の特殊な光を照射した時にのみ確認可能なものとすることにより、作成されたカードの真贋を判定することを可能にする。また、コピー機の露光光が通常の可視光外にもスペクトルを有する場合には、本来は見えないはずの画像が写し込まれて画像が作成されることになり、複写物は本物のカードと異なる仕上がりとなることから、偽造防止の手段としても利用可能である。
【００８７】
以下、この様な不可視のインクを用いたＩＣカードについて説明する。
【００８８】
カードに不可視な赤外線吸収インクを用いてバーコード等の機械読み取り可能なコードを設けたＩＤカードは、特開平１１−２２７３６７号公報等で既に知られているが、本発明は作成したカードを赤外光存在下に置いた時に目視でカードの真贋を判定できる様にしたものである。
【００８９】
図５は本発明の実施の形態に係るＩＣカードの第５例である従業員証の図であり、カードに不可視な赤外線吸収インクを用いたＩＣカードの一例を示す。図５（ａ）は、可視光線下に置かれているＩＣカードであるＩＣカードＣＤであり、画像形成時に画像形成領域内に不可視な赤外線吸収インクで目視で判読可能な画像１０を形成した。そして、可視光線で照射した場合、すなわち、図５（ａ）では、赤外線吸収インクで作成した画像１０を確認することができない。
【００９０】
図５（ｂ）は、正規カード（本物）のＩＣカードＣＤを赤外線光で照射した場合に観察されるＩＣカードＣＤを示したもので、カード右上方に赤外線吸収インクで作成した画像１０「ほんもの」が赤外線センサを用いることにより観察される。一方、図５（ｃ）は、ＩＣカードＣＤを複写機で複写してなる複写物ＣＤＦを赤外線光存在下においたもので、複写物ＣＤＦには赤外線吸収インクで作成された画像が存在しないので、赤外線光存在下で作成カードの真贋を判定することが可能である。
【００９１】
本発明で使用される不可視な赤外線吸収インクは、赤外線を吸収し可視光線の吸収を行わない性質を有する材料からなるインクである。この様なインクの具体例としては、例えば、特開平９−７７５０７号公報に記載される、赤外線にのみ吸収性を有し、可視光領域では吸収を行わない素材であるＹｂＰＯ４（リン酸イッテルビウム）を用いたものが挙げられる。
【００９２】
これは、ＹｂＰＯ４粒子を加熱処理し、次いで、加熱処理したＹｂＰＯ４粒子を有機溶剤と混合し、スラリー化したものを粉砕機で湿式粉砕して得られるものである。この様なインク化特性に優れた粒子を用いたインクを使用することにより、可視光領域での吸収がなく、赤外線吸収特性や、耐候性、耐光性、インク化特性、画像形成適性にすぐれた効果を発現することが可能である。
【００９３】
ＹｂＰＯ４粒子は、約９７５ｎｍにピークを有する赤外領域の照射光に対して強い吸収性を示すとともに、４００〜７００ｎｍの可視光線には吸収性を示さない。したがって、ＹｂＰＯ４粒子を使用したインクで画像形成を行うと、赤外線を照射する環境下では該インクで形成した画像領域が赤外線を吸収することにより、目視により画像を確認することが可能である。本発明では、このＹｂＰＯ４粒子を顔料としたインクを使用して、目視確認可能な画像を前述の熱転写プリント、オフセット印刷、インクジェットプリント等で作成する。
【００９４】
また、本発明に係るＩＣカードに使用される不可視のインクとして、紫外光を吸収する蛍光インクで画像を形成するものもある。この様なインクの具体例は、例えば、特開平６−１８３１８８７号公報に記載されている蛍光インクを用いたものが挙げられる。
【００９５】
蛍光インクとしては、例えば、粒径が０．７〜５０μｍの無機蛍光顔料、有機蛍光顔料、ビヒクル等が質量率１５〜４５％で含有されるものが好ましく使用される。無機蛍光顔料は、耐久性、耐候性に優れるものが好ましく、例えば、Ｃａ、Ｂａ、Ｍｇ、Ｚｎ、Ｃｄ等の酸化物、硫化物、ケイ酸塩、リン酸塩、タングステン酸塩等の結晶を主成分とし、Ｍｎ、Ｚｎ、Ａｇ、Ｃｕ、Ｓｂ、Ｐｂ等の金属元素、または、ランタノイド類等の希土類元素を活性剤として添加してなる顔料が挙げられる。
【００９６】
また、有機蛍光顔料は、小粒径化を容易に行えるので実際にインクを製造する視点から有効である。具体的には、ジアミノスチルベンジスルホン酸誘導体、イミダゾール誘導体、クマリン誘導体、トリアゾール、カルバゾール、ピリジン、ナフタル酸、イミダゾロン等の誘導体、アントラセン等のベンゼン環をもつ化合物が挙げられる。
【００９７】
以上の様に、本発明に係るＩＣカードは、カード上に形成されるプリント画像にメタリックインクやマイクロ文字に代表される、複写を行った時にオリジナル画像を正確に再現させないもので画像形成を行うことにより、作成カードの複写機による偽造を防止するとともに、複写物と本物のカードの真贋を目視判定することを可能にしている。
【００９８】
また、本発明に係るＩＣカードは、カード上に形成されるプリント画像に赤外線透過インクや赤外線吸収インクに代表される、非可視光線を吸収あるいは透過する性質を有するもので画像形成を行うことにより、その非可視光線の存在下で作成カードの真贋を目視判定することを可能にするとともに、この様な手段を用いることでカードの偽造防止を可能にしている。
【００９９】
さらに、本発明に係るＩＣカードは、上述した技術を組み合わせて、複写機による偽造防止と非可視光線でカードの偽造判定を行う機能を兼ね備えてなるものであることが好ましい。
【０１００】
従業員証をはじめとして、組織内における個人の身分、所属等を画像として記録したＩＣカードにおいては、身分、組織の変更に伴って画像を変更する場合が少なくない。このような変更に対応可能とするために、画像の少なくとも一部をリライト画像とすることが望ましい。
【０１０１】
このようなリライト画像としては、例えば、熱等のエネルギーを加えることにより、書き換えられる画像であり、リライト画像を形成する材料として代表的なものは、ロイコ染料を使用した可逆性熱記録材である。
【０１０２】
次に、ロイコ染料を使用した可逆性感熱記録材料について説明する。
【０１０３】
分子構造内にラクトン環をもち電子放出によりラクトン環の開環により発色を示す電子供与性呈色性化合物（いわゆるロイコ染料）が可逆性感熱記録材料として使用されている。このものにも各種の用法があるが、ロイコ染料と酸・塩基化合物からなる顕減色剤を主成分とし、これをバインダー中に分散したものが一般的に使用されている。この記録方法は、顕減色剤として、分子内に水酸基またはカルボキシル基からなる酸性基とアミノ基からなる塩基性基を合わせ持ち、水素イオンを可逆的に放出できる性質をもつ有機物質を用いることにより、ロイコ染料のラクトン環が熱条件の違いで開環し、閉環する変化を利用して可逆的に発色及び消色を行うものである。繰り返し回数特性、画像安定性を向上させるために保護層を設けること、染料および顕減色剤をマイクロカプセル化することも行われている。
【０１０４】
従来、ロイコ染料と顕減色剤からなる記録材料は、経時的な濃度の低下や消色が不完全となりコントラストが低下する、繰り返し使用耐久性に劣る、等の問題があったが、最近では特性が改善され、鮮明な色彩とコントラスト、耐久性を有する材料が得られるようになってきている。特開平１０−２０３０１６号公報には、可逆性記録層中にジルコニウム化合物を含有させる記録剤が記載され、特開平６−２９３１８２号公報には可逆性感熱記録材料のバインダー樹脂をガラス転移温度を特定のものとし、顕減色剤にピリジン誘導体を使用するものが記載されている。これらの材料は、ラクトン環の開環温度と閉環温度が異なるものというよりは、加熱により発色反応と消色反応が並行して生じ、発色反応の反応速度が消色反応の反応速度よりも飛躍的に大きいため、瞬間的な加熱では発色反応のみが認められることになる。一方、長時間（長時間といっても数百ミリ秒）の加熱では平衡状態になるがこの平衡状態は消色状態である場合と考えられる。可逆性感熱記録材料では、この特性を考慮して、サーマルヘッドの加熱条件を設定する必要がある。
【０１０５】
使用するロイコ染料は特に限定されるものではないが、クリスタルバイオレットラクトン、３−（４−ジエチルアミノ−２−エトキシフェニル）−３−（１−エチル−２−メチルインドール−３−イル）−４−アザフタリド、３−インドリノ−３−ｐ−ジメチルアミノフェニル−６−ジメチルアミノフタリド等のフタリド化合物、３−ジエチルアミノ−６−メチル−７−アニリノフルオラン、３−ジブチルアミノ−６−メチル−７−アニリノフルオラン、３−ジエチルアミノ−６−メチル−７−キシリジノフルオラン等のフルオラン化合物などを使用することができる。
【０１０６】
顕減色剤としては、フェノール性水酸基またはカルボキシル基からなる酸性基とアミノ基からなる塩基性基の双方を有する化合物で、熱エネルギーの違いにより酸性または塩基性となって、ロイコ染料を発色・消色させるもの、あるいは上述の平衡状態を実現できる材料が使用できる。例えば、ヒドロキシ安息香酸、ヒドロキシサリチル酸、没食子酸、等の酸と脂肪属アミン類、フェニルアルキルアミン類、トリルアルキルアミン類等の塩基との塩または錯塩が挙げられる。また、前記した公開公報に記載される顕減色剤であっても良い。
【０１０７】
このような記録剤は、水または有機溶剤に溶解する高分子材料をバインダーとして使用することができ、例えば、アクリル系樹脂、メタクリル系樹脂、ポリウレタン樹脂、ポリウレア樹脂、ポリカーボネート樹脂、ポリエステル樹脂、ポリアミド樹脂、ポリビニルアルコール、ゼラチン、アラビアゴム、メチルセルロース、エチルセルロース、酢酸セルロース、ポリビニルブチラール、ポリ塩化ビニル等が挙げられる。繰り返し特性や耐熱性を高めるためには熱硬化性樹脂や耐熱性樹脂の使用が好ましい。
【０１０８】
次に、リライト画像の形成について説明する。
【０１０９】
リライト画像の形成は、サーマルヘッドを有するサーマルプリンタを用いて行うことができる。サーマルプリンタにより、リライタブルカードは、まず所定の加熱温度で全面または部分的に走査し書き込まれていた元の画像を消去する。消去の場合は書込みの場合よりは長い加熱時間（各消去箇所において数百ミリ秒〜１秒程度）が必要であり、サーマルヘッドをやや緩慢に走査する必要がある。したがって、消去用と書込み用のヘッドの双方を備えてもよいし、単一のヘッドで走査速度を変えて使用しても良い。また、消去を迅速に行う場合は、消去用の温度条件（８０〜１５０°Ｃ）を備え、全面均一に加熱できる加熱ロールを使用しても良い。
【０１１０】
書換え可能表示部に対する書込みは、消去よりも短時間（数ミリ〜数十ミリ秒）で行うことができる。書込みは、非接触リーダライタで読み取られたデータに基づいて、サーマルヘッドを走査することにより行う。実際のサーマルヘッドによる書込み加熱条件や走査速度等は使用する感熱記録材料の種別によって異なったものとなる。
【０１１１】
図６は本発明の実施の形態に係るＩＣカードの第６例である従業員証の図であり、所属の部分をリライト画像で形成した従業者証の例を示す。
【０１１２】
図６（ａ）では、所属が総務部４ａであるが、図６（ｂ）では財務部４ｂに変更されている。この変更は、前記に説明したリライトにより行われ、カード更新は、カードを新規に作製し、発行することなく、画像の書き換えによって実現することが可能となる。
【０１１３】
本発明に係るＩＣカードでは、更に、暗号化した二次元コード６を形成することが望ましい。
【０１１４】
暗号化の望ましい例としては、パスワードを用いて二次元コードを暗号化する方法がある。該方法によれば、パスワードを用いない限り、二次元コードに記録されている情報を読み出すことが出来ない。たとえば、特開平８−１９４７９５号公報に記載されているように、パスワードを用いて二次元コードにスクランブルをかけて暗号化する方法がある。
【０１１５】
また、特開２００１−１８８４６９号公報に記載されているように、暗号化しようとするデータとパスワードとを用いて、暗号化された二次元コードと復号鍵を作成する方法がある。
【０１１６】
図１に戻って説明するが、図１に示すＩＣカードは様々なセキュリティレベルに対応することが可能であり、様々な認証の態様で使用される。認証態様の例としては次のようなものがある。
（１）目視画像を用いた認証
ＩＣカードＣＤに記録されている顔画像１とカード所持者の顔とを照合する
本発明のＩＣカードはこのような従来一般に行われている認証に使用することができる。
（２）二次元コード又はＩＣを用いた認証１
二次元コード６又はＩＣに記録されている個人情報を読み取り、読み取った情報を認証システム中のサーバに記録されている情報と照合してＩＣカードの正当性をチェックする。
【０１１７】
この認証態様は、ＩＣカードを通行証や部屋の鍵として使用する場合のものであり、本発明に係るＩＣカードは、通行証や部屋の鍵のように、瞬時の認証が必要な場合にも使用することができる。
（３）二次元コードを用いた認証２
図７に示すように、二次元コードリーダ２１によりＩＣカードＣＤの二次元コード６から個人情報を読み取り、読み取った個人情報をパーソナルコンピュータからなる入力装置２０から入力された個人情報と照合してＩＣカードが正当なものであることを認証する。
【０１１８】
このような認証は多くの場合、ＩＣカード所有者が入力装置２０から入力した従業者ＩＤやパスワードと二次元コード６に記録されている従業者ＩＤ、パスワードとを照合手段１２で照合するという方法で行われる。
【０１１９】
二次元コード６の記録情報は特殊な読取手段によってしか読み取ることができないので、パスワードの漏洩がない限り、この認証はきわめて有効である。
（４）ＩＣを用いた認証
図８に示すようにＩＣリーダ２３によりＩＣ８ａのメモリに記録されている個人情報を読み取り、読み取った個人情報を入力された入力装置２０から個人情報と照合してＩＣカードが正当なものであることを認証する。
【０１２０】
このような認証は多くの場合、ＩＣカード所有者が入力した従業者ＩＤやパスワードとＩＣ８ａに記録されている従業者ＩＤ、パスワードとを照合するという方法で行われる。この認証態様もパスワードの漏洩がない限り、きわめて有効である。
（５）前記の認証態様（３）と（４）を併用した認証
図９に示すように、入力装置２０から入力された情報と、二次元コードリーダ２１が二次元コード６から読み取った情報及びＩＣリーダ２３がＩＣ８ａから読み取った情報とを照合手段２２で照合する。
【０１２１】
（３）と（４）を併用することにより、ＩＣカードの変造や改ざんに対して防御することができる。
（６）ＩＣに記録されている生体情報を用いた認証１
図１０に示すように、ＩＣリーダ２３によりＩＣ８ａに記録されてい指紋等のる生体情報を読み取り、また、生体情報採取手段としての採取装置２６により、カード所持者２５の生体情報（図示の例ではカード所有者の指から採取した指紋）を読み取り、照合手段２２で照合する。
【０１２２】
この認証では、カード所持者から直接生体情報を採取するので、ＩＣカードの変造、改ざん、不正使用等の不正行為が全て検出される。
（７）ＩＣに記録されている生体情報を用いた認証２
生体情報の漏洩による不正使用の可能性があり、これに対する防御手段を持ったシステムが必要な場合がある。
【０１２３】
図１１に示す認証システムこのような生体情報の漏洩に対する防御手段を持った認証システムである。
【０１２４】
ＩＣカードＣＤから、二次元コード読取手段としての二次元コードリーダ２１で二次元コード６に記録されている個人情報を読み取るとともに、ＩＣリーダ２３でＩＣ８ａに記録されている生体情報を読み取る。
【０１２５】
二次元コードリーダ２１で読み取った個人情報を用いて、サーバ２７内の生体情報データベース２７ｂからＣＰＵ２７ａがカード所有者の登録生体情報を検索し生成する。
【０１２６】
一方、ＩＣリーダ２３が読み取った生体情報は、生体情報採取手段としての採取装置２６がカード所持者２５から採取した生体情報とプレ照合手段２２ａにより照合される。照合の結果、採取された生体情報が正当なものであるときは、該生体情報は、生体情報データベース２７ｂから検索された登録生体情報と、照合手段２２ｂにより照合される。照合の結果、両生体情報が一致したときは、カードＣＤが正当に使用されていると判断される。
【０１２７】
図１１に示すシステムは請求項７の発明の実施の形態の例であり、該システムでは、ＩＣリーダ２３、採取装置２６及びプレ照合手段２２ａが照合用生体情報生成手段を構成し、照合用生体情報を生成する。また、ＣＰＵ２７ａは登録生体情報を検索する検索手段を構成する。
【０１２８】
図１１に示すシステムは、また、請求項９の発明の実施の形態の例であり、ＩＣリーダ２３はプレ照合用生体情報を生成する生体情報読取手段として機能する。
【０１２９】
図１１のシステムでは、ＩＣカードの正当性をカード所持者から採取した生体情報を用いてチェックするので、ＩＣカードの変造、改ざん等が確実に検出されるとともに、盗難等が原因して起こるＩＣカードの不正使用を完全に防止できる。しかも、サーバ２７内の登録生体情報は、ＩＣカードの二次元コードから得られた個人情報によってのみ、取り出せるので、登録生体情報の漏洩が防止される。
【０１３０】
更に、図１１のシステムでは、サーバ２７は二次元コードから得られた個人情報に基づいて生体情報データベース２７ｂから登録生体情報を検索する検索手段を構成する。生体情報間の照合は、二次元コードから得られた個人情報を用いた検索の結果得られた登録生体情報を用いて行われるので、検索及び照合に要する時間は短く、迅速な認証が行われる。
【０１３１】
なお、図１１の認証システムを簡略化して用いることも可能である。すなわち、採取装置２６が採取した生体情報をそのままサーバ２７で検索した登録生体情報と照合して認証することができる。
【０１３２】
この簡略システムは、請求項７の発明の実施の形態の例であり、該システムでは、採取装置２６が照合用生体情報を生成する生体情報採取手段として機能する。従って、ＩＣリーダ２３によるＩＣ８ａからの生体情報の読み取りは行われない。
（８）ＩＣに記録されている生体情報を用いた認証３
図１２に示すように、二次元コードリーダ２１により二次元コード６から個人情報を読み取り、読み取った個人情報を用いて、サーバ２７の生体情報データベース２７ｂから登録生体情報を検索する。一方、ＩＣリーダ２３によりＩＣ８ａに記録されている生体情報を読み取る。
【０１３３】
登録生体情報とＩＣ８ａから読み取った生体情報とを照合手段２２で照合してＩＣカードＣＤの認証を行う。
【０１３４】
図１２に示すシステムは請求項８の発明の実施の形態の例である。このシステムでは、ＩＣリーダ２３が照合用生体情報を生成する生体情報読取手段として機能し、ＣＰＵ２７ａは生体情報データベースから登録生体情報を検索する検索手段を構成する。
【０１３５】
この認証により、二次元コード６に記録されている情報と、ＩＣ８ａに記録されている情報との間の一致性が検証されるので、画像の貼り替え等の改ざんが確実に検出され、これを防止することができる。
【０１３６】
本発明は、インターネット等の遠隔通信手段を用いた認証システムに用いることができる。図１３はその例であり、二次元コードリーダ２１１〜２１ｎ及び照合手段２２１ｂ〜２２ｎｂは、通信ユニット２８１〜２８ｎとインターネットＩＴを介してサーバ２７に接続される。
【０１３７】
サーバ２７は、二次元コードリーダ２１１〜２１ｎからの個人情報に基づいて、カード所有者の生態情報を検索し、検索した生体情報を照合手段２２１ｂ〜２２ｎｂに送信し、各照合手段２１ｂ〜２２ｎｂにおいて、ＩＣカードの認証が行われる。
【０１３８】
二次元コードリーダ２１１、ＩＣリーダ２３１、採取装置２５１及びプレ照合手段２２１ａは、認証装置ＩＤ１を構成し、二次元コードリーダ２１２、ＩＣリーダ２３２、採取装置２５２及びプレ照合手段２２２ａは、認証装置ＩＤ２を構成し、二次元コードリーダ２１ｎ、ＩＣリーダ２３ｎ、採取装置２５ｎ及びプレ照合手段２２ｎａは、認証装置ＩＤｎを構成を構成する。２８１〜２８ｎは承認装置ＩＤ１〜ＩＤｎの通信ユニットである。
【図面の簡単な説明】
【０１３９】
【図１】本発明の実施の形態に係るＩＣカードの第１例である従業員証の図である。
【図２】本発明の実施の形態に係るＩＣカードの第２例である従業員証の図である。
【図３】本発明の実施の形態に係るＩＣカードの第３例である従業員証の図である。
【図４】本発明の実施の形態に係るＩＣカードの第４例である従業員証の図である。
【図５】本発明の実施の形態に係るＩＣカードの第５例である従業員証の図である。
【図６】本発明の実施の形態に係るＩＣカードの第６例である従業員証の図である。
【図７】二次元コードを用いた認証システムの一例を示す図である。
【図８】ＩＣを用いた認証システムの一例を示す図である。
【図９】二次元コード及びＩＣを用いた認証システムの一例を示す図である。
【図１０】ＩＣに記録されている生体情報を用いた認証システムの一例を示す図である。
【図１１】ＩＣに記録されている生体情報を用いた認証システムの他の例を示す図である。
【図１２】ＩＣに記録されている生体情報を用いた認証システムの更に他の例を示す図である。
【図１３】遠隔通信手段を用いた認証システムの一例を示す図である。
【符号の説明】
【０１４０】
１  顔画像
２  従業者ＩＤ
３  カードの名称
４  所属
５  氏名
６  二次元コード
７  会社名
８ａ  ＩＣ
２０  入力装置
２１、２１１、２１２、２１ｎ  二次元コードリーダ
２２ａ、２２１ａ、２２２ａ、２２ｎａ  プレ照合手段
２２ｂ、２２１ｂ、２２２ｂ、２２ｎｂ  照合手段
２３、２３１、２３２、２３ｎ  ＩＣリーダ
２５  カード所有者
２６、２６１、２６２、２６ｎ  採取装置
２７  サーバ
２７ａ  ＣＰＵ
２７ｂ  生態情報データベース
ＣＤ  ＩＣカード
ＣＤＦ  複写物
【図１】
2005141626.tif 000003
【図２】
2005141626.tif 000004
【図３】
2005141626.tif 000005
【図４】
2005141626.tif 000006
【図５】
2005141626.tif 000007
【図６】
2005141626.tif 000008
【図７】
2005141626.tif 000009
【図８】
2005141626.tif 000010
【図９】
2005141626.tif 000011
【図１０】
2005141626.tif 000012
【図１１】
2005141626.tif 000013
【図１２】
2005141626.tif 000014
【図１３】
2005141626.tif 000015